(57)【要約】【課題】脱着作業を行い易くした回転収納装置を提供する。【解決手段】本発明は、収納物を収納する回転収納体２０と、前方に開口し回転収納体２０が１８０°回転自在で配置された箱体２とを備えた回転収納装置１であって、回転収納体２０は、前後に開口した枠体２１と、枠体２１内を区画する棚板４０と、棚板４０を前後方向にスライド移動させて棚板４０を枠体２１に脱着自在で取り付ける取付部５６とを備え、取付部５６は、爪部５０と、爪部５０を脱着自在で引っ掛ける被係止部５４とを備えるものである。これによって、本発明は、棚板４０の枠体２１に対する脱着作業を行い易くすることができる。【選択図】図１
2014030609.tif 000002
【特許請求の範囲】
【請求項１】
収納物を収納する回転収納体と、前方に開口し前記回転収納体が１８０°回転自在で配置された箱体とを備えた回転収納装置であって、
前記回転収納体は、前後に開口した枠体と、この枠体内を区画する棚板と、この棚板を前後方向にスライド移動させて前記棚板を前記枠体に脱着自在で取り付ける取付部とを備え、
この取付部は、爪部と、この爪部を脱着自在で引っ掛ける被係止部とを備えるものである
ことを特徴とする回転収納装置。
【請求項２】
前記枠体に、正面視横向きに開口した矩形Ｕ字状の保持部材を設け、
前記棚板に、前記保持部材内部に挿通されてこの保持部材に支持される支持部を設け、
前記支持部に、前記爪部を設け、
前記保持部材の前記支持部を挿通した状態における前記爪部に対応した部位に、前記被係止部を設けたものである
ことを特徴とする請求項１に記載の回転収納装置。
【請求項３】
前記支持部の前記保持部材への挿通方向における後方側の部位に、前記保持部材に当接されて前記支持部の挿通を規制する突出片を設けたものである
ことを特徴とする請求項２に記載の回転収納装置。
【発明の詳細な説明】
【技術分野】
【０００１】
本発明は、内部に回転部分を有する回転収納装置に関するものである。
【背景技術】
【０００２】
従来から収納装置として、棚板を多段に配置した回転収納体と、回転収納体を１８０°回転可能で収納した箱体とを備えた回転収納装置がある（特許文献１参照）。
【０００３】
この回転収納装置は、収納物を出し入れするための開口面を回転収納体の前後に有する。箱体は前面が開口しており、回転収納体の開口面の一方を箱体の前面側に位置させることで、この前面を介して収納物を出し入れすることができる。そして、回転収納装置は、回転収納体を１８０°反転させることで、前記前面側に位置する開口面を、残りの一方に切り替えることができる。
【０００４】
また、回転収納装置は、前後に貫通した棚板保持用穴が回転収納体の縦枠に設けてある。そして、棚板は、縦枠に対向する側端部に棚板保持部材が取り付けてある。棚板保持部材には、棚板を保持した際に、棚板保持用穴に前後両方から夫々ピンを挿入する取付け片が設けてある。そして、棚板は、このピンの挿入によって縦枠に取り付けられる。
【先行技術文献】
【特許文献】
【０００５】
【特許文献１】特開平１０−１７９２７７号公報
【発明の概要】
【発明が解決しようとする課題】
【０００６】
このように、従来の構成では、前後の取付け片の間に棚板保持用穴を配置した後、前後両方に夫々ピンを挿入して、棚板を取り付けるため、取付作業の工数が多くなる等で、棚板の取付けに手間がかかり易いという問題がある。そして、従来の構成では、後方側の棚板保持用穴の位置が視認し難いため、後方のピンを挿入し難く、棚板の取付作業が行い難くなることがある。また、従来の構成では、棚板を上下方向に移動させるため、例えば上下多段に棚板を配置した場合、例えば上下方向の中間に位置する棚板の脱着時に、上下に並ぶ他の棚板に干渉（接触）する等で、脱着作業が行い難くなることがある。
【０００７】
そこで、本発明は、前記従来の問題点に鑑みて発明したものであり、その目的とするところは、脱着作業を行い易くした回転収納装置を提供することにある。
【課題を解決するための手段】
【０００８】
前記課題を解決するために、本発明は、収納物を収納する回転収納体と、前方に開口し前記回転収納体が１８０°回転自在で配置された箱体とを備えた回転収納装置であって、前記回転収納体は、前後に開口した枠体と、この枠体内を区画する棚板と、この棚板を前後方向にスライド移動させて前記棚板を前記枠体に脱着自在で取り付ける取付部とを備え、この取付部は、爪部と、この爪部を脱着自在で引っ掛ける被係止部とを備えるものであることを特徴とする。
【０００９】
この回転収納装置として、前記枠体に、正面視横向きに開口した矩形Ｕ字状の保持部材を設け、前記棚板に、前記保持部材内部に挿通されてこの保持部材に支持される支持部を設け、前記支持部に、前記爪部を設け、前記保持部材の前記支持部を挿通した状態における前記爪部に対応した部位に、前記被係止部を設けたものであることが好ましい。
【００１０】
この回転収納装置として、前記支持部の前記保持部材への挿通方向における後方側の部位に、前記保持部材に当接されて前記支持部の挿通を規制する突出片を設けたものであることが好ましい。
【発明の効果】
【００１１】
本発明は、前記構成を備えたことで、爪部の被係止部への脱着によって、棚板を枠体に対して容易に脱着させることができる。そして、本発明は、前記構成を備えたことで、棚板の脱着時に棚板を上下移動させずにすみ、例えば上下多段に棚板を配置した場合であっても、所望の棚板を他の棚板に干渉させずに脱着させることができる。これによって、本発明は、従来の構成に比べて、例えば所望の棚板の周囲に位置する他の棚板との干渉を抑制したり、脱着作業を単純化したりする等で、脱着作業を行い易くすることができるという効果を奏する。
【図面の簡単な説明】
【００１２】
【図１】（ａ）が回転収納装置の実施形態の斜視図であり、（ｂ）が図１（ａ）から箱体を省略した斜視図である。
【図２】図１（ａ）から回転機構部及び上枠を透過した平面図である。
【図３】回転機構部による回転動作を模式的に示した平面図である。
【図４】図１（ｂ）の一部を拡大した斜視図であり、（ａ）が棚板の装着状態であり、（ｂ）が棚板のスライド移動状態である。
【図５】左右方向の内方から視た枠体の操作部周辺の拡大斜視図である。
【図６】（ａ）が棚板の平面図であり、（ｂ）が被保持部周辺の斜視図である。
【図７】棚板の変形例の説明図であり、（ａ）が平面図であり、（ｂ）が正面図であり、（ｃ）が分解した平面図である。
【発明を実施するための形態】
【００１３】
本発明を、添付図面に示す実施形態に基づいて説明する。
【００１４】
本実施形態における回転収納装置１は、例えば、図１に示すように、回転収納体２０と、箱体２と、回転機構部１０とを備える。そして、回転収納装置１は、箱体２の内部に回転収納体２０が収納してある。
【００１５】
箱体２は、前方に開口した正面視略矩形の箱状になっており、天面部３と底面部４と背面部５と左右一対の側面部６とで形成してある。そして、箱体２は、例えば、木製や金属製や樹脂製等となっている。また、箱体２は、天面部３及び底面部４に夫々回転機構部１０が設けてある。箱体２は、回転機構部１０を介して回転収納体２０を支持する。言い換えると、回転機構部１０は、箱体２の天面部３と回転収納体２０の上部との間と、箱体２の底面部４と回転収納体２０の下部との間の二箇所に夫々設けてある。そして、二つの回転機構部１０は、平面視略重なって作動する。
【００１６】
回転機構部１０は、図１や図２に示すように、前後方向に沿って長尺なレール１１と、レール１１に沿って前後にスライド移動自在の走行体１２（図３参照）と、回転収納体２０の回転中心となる回転軸１３と、長尺の連結アーム１４とを備える。レール１１は天面部３の下面と底面部４の上面とに夫々固定してある。そして、天面部３側及び底面部４側の両レール１１は上下方向に対向して配置してある。
【００１７】
走行体１２は前方側にスライド移動することで、走行体１２の前端側をレール１１の前端より前方に突出させることができる。また、走行体１２は長手方向の略中央に、回転軸１３が取り付けてある。そのため、回転軸１３は、走行体１２が前方にスライド移動することで前方に移動し、後方にスライド移動することで後方に移動する。すなわち、回転機構部１０は、走行体１２をレール１１に沿って前後にスライド移動させることで、回転軸１３を前後に移動させることができる。
【００１８】
また、回転軸１３は軸心が上下方向に沿って配置してある。そして、回転軸１３は軸方向の一端側に走行体１２が取り付けてあり、反対側（残りの一端側）に回転収納体２０が取り付けてある。そのため、走行体１２は回転軸１３を介して回転収納体２０を支持している。また、回転軸１３は、走行体１２に対して回転軸１３の軸周りに回転自在になっている。そのため、回転収納体２０は走行体１２に対して回転軸１３の軸周りに回転自在となっている。なお、回転軸１３は、走行体１２に対して回転収納体２０を回転自在とするものであれば、走行体１２に対して回転自在のものに限らず、回転収納体２０に対して回転自在のものであってもよい。
【００１９】
連結アーム１４は長手方向の一端がレール１１の後端部にスライド移動不能で且つ回動自在で接続してある。そのため、連結アーム１４はこの一端を支点に対して、左右方向に約９０°の範囲で回動する。そして、連結アーム１４の長手方向の他端（前記一端の反対側）は、収納状態の回転収納体２０を基準に、回転収納体２０の左右方向の一端側にスライド移動不能で且つ回動自在に接続してある。
【００２０】
また、連結アーム１４は、上部の回転機構部１０と下部の回転機構部１０とで平面視重なった位置に配置してあり、この重なった状態を略維持して夫々回動する。なお、連結アーム１４は、上下の回転機構部１０の一方のみ設けたものであってもよい。
【００２１】
回転収納体２０は、正面視略矩形枠状の枠体２１と、複数の棚板４０とを備える。そして、回転収納体２０は、枠体２１内に棚板４０を配置することで、枠体２１内が区画される。枠体２１は、上枠２２と、下枠２３と、左右一対の縦枠２４とで形成してある。そして、枠体２１は、例えば、金属等の剛性部材で形成してある。以下の説明において、特定の場合を除き、回転収納体２０を箱体２に収納した状態での方向を基準とする。
【００２２】
上枠２２及び下枠２３は夫々、左右方向に長尺に形成してある。そして、上枠２２は左右方向の略中央に、上部の回転機構部１０の回転軸１３の下端側が取り付けてある。下枠２３は左右方向の略中央に、下部の回転機構部１０の回転軸１３の上端側が取り付けてある。そのため、回転収納体２０は、走行体１２を介して箱体２から前方側にスライド移動自在で、且つ回転軸１３を介して走行体１２に対して回転自在になっている。
【００２３】
そして、上枠２２及び下枠２３は夫々、左右方向の一端側に連結アーム１４他端が回転自在で取り付けてあり、回転軸１３での回転範囲（回転動作の範囲）が規制される。そのため、回転収納体２０は、例えば、図３に示すように、前後方向にスライド移動しながら、箱体２に対して約１８０°の範囲で回転することができる。これによって、回転収納体２０は、箱体２収納時の姿勢を前後反転可能（１８０°反転可能）となる。言い換えると、回転収納装置１は、回転機構部１０によって回転収納体２０の前後を入れ替える（切り替える）ことができる。
【００２４】
更に、回転収納体２０は、前方側にスライド移動させることで、箱体２の背面部５との間に回転するための空間が生じる。回転収納体２０は、この生じた空間を利用して、回転軸１３の軸周りに回転する。言い換えると、回転収納装置１は、回転機構部１０が回転収納体２０を前後方向にスライド移動させながら前記前後の切替を行うため、回転収納体２０が回転時に箱体２に収納した位置より後方側に突出するのを防止することができる。これによって、回転収納装置１は、箱体２の回転収納体２０を収納した位置より後方側に回転用の空間を設ける必要を無くすことができて、箱体２の奥行きを抑えた構成にし易くすることができる。
【００２５】
図１に示すように、左右の縦枠２４（両側の縦枠２４）は夫々、上下方向に沿って長尺になっており、例えば、平面視矩形の筒部材で形成してある。そして、両側の縦枠２４は略平行に並んで配置してある。一方の縦枠２４（第１縦枠２４ａ）は、上端が上枠２２の左右方向の一端（連結アーム１４を接続した側の端部）に固定してある。そして、第１縦枠２４ａの下端は、下枠２３の左右方向の一端（上枠２２と同じ側の端部）に固定してある。他方の縦枠２４（第２縦枠２４ｂ）は、上端が上枠２２の左右方向の他端（上記一端とは反対側の端部）に固定してある。そして、第２縦枠２４ｂの下端は、下枠２３の左右方向の他端（上枠２２と同じ側の端部）に固定してある。
【００２６】
更に、第２縦枠２４ｂの長手方向（上下方向）の略中央には、回転収納体２０のスライド移動及び回転動作の操作用の操作部２６が設けてある。操作部２６は、図５に示すように、側面視矩形枠状に形成してある。そして、操作部２６は、ねじ等の固定具を介して前後方向の略中央で第２縦枠２４ｂに固定してある。また、操作部２６はこの固定位置を基準に、前後方向の一方（前方）に突出した第１把持部２６ａと、第１把持部２６ａと反対向き（後方）に突出した第２把持部２６ｂとを有する。
【００２７】
また、両縦枠２４の互いに対向する側面（左右方向を向く対向面）には、上下方向に略等間隔で保持部材３０が複数設けてある。複数の保持部材３０は夫々、第１縦枠２４ａ側と第２縦枠２４ｂ側とが左右方向に並んで位置する。言い換えると、第１縦枠２４ａ側に設けた保持部材３０と第２縦枠２４ｂ側に設けた保持部材３０とが、左右方向において対を成しており、この対をなす保持部材３０が、上下方向に複数組設けてある。
【００２８】
保持部材３０は、正面視横向きに開口した矩形Ｕ字状（所謂コ字状）の剛性部材で形成してあり、例えば、金属製等となっている。対をなす保持部材３０は、Ｕ字の開口側が左右方向に向かい合って配置してある。そして、保持部材３０は前後方向に沿って長さを有する。以下、保持部材３０の構成を具体的に説明するにあたって、図１に示す状態を基準に、第１縦枠２４ａ側を左側とし、第２縦枠２４ｂ側を右側として、左右を規定する。
【００２９】
右側の保持部材３０は、図５に示すように、左右方向を向いて板面を有した側板部３１と、側板部３１の上端から左側に突出した上板部３２と、側板部３１の下端から左側に突出した下板部３３とを有する。側板部３１は第２縦枠２４ｂの左側（枠の内側）に配置してある。そして、側板部３１は、前後方向の略中央が溶接等で第２縦枠２４ｂの前記対向面に固定してある。
【００３０】
上板部３２は板面が下板部３３の板面と上下方向に略平行に並んで位置する。そして、上板部３２は下板部３３に比べて左右方向の寸法が小さい。言い換えると、下板部３３は、側板部３１から左右方向への突出寸法が上板部３２に比べて大きい。
【００３１】
左側の保持部材３０は、左右方向を向いて板面を有した側板部３１と、側板部３１の上端から右側に突出した上板部３２と、側板部３１の下端から右側に突出した下板部３３とを有する。側板部３１は第１縦枠２４ａの右側（枠の内側）に配置してあり、前後方向の略中央で第１縦枠２４ａの前記対向面に固定してある。
【００３２】
上板部３２は板面が下板部３３の板面と上下方向に略平行に並んで位置する。そして、上板部３２は下板部３３に比べて左右方向の寸法が小さい。言い換えると、下板部３３は、側板部３１から左右方向への突出寸法が上板部３２に比べて大きい。
【００３３】
また、左右の各保持部材３０の側板部３１には、左右方向に開口した開口部５５が設けてあり、対をなす保持部材３０は、開口部５５が左右方向において重なって位置する。また、開口部５５は、縦枠２４への固定位置から前後方向のいずれか一方へずれた位置に形成してある。そのため、保持部材３０は、前記固定位置より前方に開口部５５を設けた第１保持部材３０ａと、前記固定位置より後方に開口部５５を設けた第２保持部材３０ｂとに区別される。そして、第１保持部材３０ａと第２保持部材３０ｂとは、上下方向において、交互に配置してある。
【００３４】
回転収納装置１は、図４に示すように、対をなす保持部材３０毎に夫々、棚板４０を保持することができる。そのため、第１縦枠２４ａと第２縦枠２４ｂの間（両側の縦枠２４の左右方向の間）には、保持部材３０を介して、複数の棚板４０が上下多段に配設される。そして、棚板４０は、第１保持部材３０ａに保持される第１棚板４０ａと、第２保持部材３０ｂに保持される第２棚板４０ｂとに区別される。第１棚板４０ａと第２棚板４０ｂとは、略同寸同形になっている。そして、第１棚板４０ａは平面視１８０°回転させることで第２棚板４０ｂとして利用可能になっている。以下、第１棚板４０ａを例示して、棚板４０の形状等を説明する。なお、左右方向等の方向の条件は、前述の保持部材３０と同じ条件とする。
【００３５】
棚板４０（第１棚板４０ａ）は、図６に示すように、平板状の本体部４１と、保持部材３０（第１保持部材３０ａ）に保持される被保持部４５とを有する。そして、棚板４０は、例えば、本体部４１と被保持部４５とを一体成形した樹脂成型品等になっている。本体部４１は上面（上方を向く板面）に靴等の収納物が配置される（載置される）。これによって、回転収納装置１は、回転収納体２０に収納物が収納される。そして、本体部４１の上面の後端側には、滑り止めが設けてある。回転収納体１は、収納物をこの滑り止め上に載置することで、載置した収納物の棚板４０の上面上での滑りを抑制することができる。また、本体部４１は、下面にリブ４２が設けてある。これによって、棚板４０は本体部４１が補強されている。
【００３６】
被保持部４５は本体部４１の左右の両端に夫々設けてあり、左右二つの被保持部４５は、左右対称形状となっている。被保持部４５は、保持部材３０に当接支持される支持部４７と、支持部４７を配置する凹部４６とを有する。凹部４６は、左右方向に凹んで第１棚板４０ａの左右の端部に形成してある。そして、凹部４６は、下部の略全体が開口している。
【００３７】
支持部４７は、凹部４６の前縁から後方に突出し且つ第１棚板４０ａの上面に対して下向きに傾斜して形成してある。そして、支持部４７は、側面視矩形枠状になっている。支持部４７は、第１棚板４０ａの枠体２１への取付時に、図４に示すように、保持部材３０の前方側から保持部材３０のＵ字の内部（上板部３２と下板部３３との間）に挿通して、保持部材３０内に配置される。このとき、支持部４７の上端部は上板部３２に当接されて、支持部４７の下端部は下板部３３に当接されて、支持部４７の外方の側端（左側の側端）は側板部３１に当接される。
【００３８】
これによって、被保持部４５は保持部材３０に保持される（支持される）と共に、枠体２１に対して上下方向及び左右方向に位置決めされる。言い換えると、被保持部４５は、支持部４７を保持部材３０に挿通することで、支持部４７を介して保持部材３０に支持されると共に、支持部４７と保持部材３０との当接によって上下方向及び左右方向に位置決めされる。そして、第１棚板４０ａは、被保持部４５が保持部材３０に支持されることで、支持部４７の突出方向が前後方向に沿って位置する。言い換えると、第１棚板４０ａは、上面に対して支持部４７が下向き傾斜するため、前下がり（後上がり）の前傾状態（上面を上下方向から前方側に傾けた姿勢）で枠体２１（保持部材３０）に支持される。
【００３９】
更に、支持部４７は前端の外側面（左右方向の外方を向く面）に、図６に示すように、左右方向の外方に突出した突出片４８が設けてある。支持部４７は、図４に示すように、突出片４８を保持部材３０の側端部の前端に当接させることで、保持部材３０への挿入（取付）が完了となる。言い換えると、支持部４７は、保持部材３０への装着時の挿通方向（挿入方向）における後方側の部位（すなわち前記前端）に、突出片４８が設けてある。
【００４０】
これによって、第１棚板４０ａは、枠体２１に対して前後方向に位置決めされると共に、例えば過剰な挿入（押し込み）等での保持部材３０より後方への抜け落ちが防止される。なお、左右方向の外方とは、例えば、右側の被保持部４５の場合、右側であり、左側の被保持部４５の場合、左側であり、各被保持部４５において、棚板４０から離れる左右方向の向きである。
【００４１】
また、図６に示すように、支持部４７には爪部５０が設けてある。爪部５０は、支持部４７と一体に形成してあり、支持部４７の枠内に設けてある。爪部５０は、前後方向に長尺な基部５１と、基部５１から左右方向の外方に突出した凸部５２とを有する。
【００４２】
基部５１は後端が、支持部４７の後端の枠内面に一体で形成してある。そして、基部５１は支持部４７の枠内において、支持部４７の後端から前方に突出した形状になっている。また、基部５１は、支持部４７の外方の側端より左右方向の内方に位置する。そして、基部５１は、支持部４７に対して左右方向に弾性変形可能になっている。
【００４３】
凸部５２は、基部５１の前後方向の前方側の略半分の部位（前方半部）に一体で設けてあり、前方半部の外方側の側面から左右方向の外方に突出して形成してある。そして、凸部５２は、第１斜辺部５２ａと第２斜辺部５２ｂとを有した平面視略三角形状になっている。
【００４４】
第１斜辺部５２ａは、基部５１からの突出先端より前方側に設けてあり、前方に向かう程左右方向の内方（本体部４１側）に位置するよう傾斜する。第２斜辺部５２ｂは前記突出先端より後方側に設けてあり、後方に向かう程左右方向の内方（本体部４１側）に位置するよう傾斜する。更に、凸部５２は前後方向の寸法が開口部５５の前後方向の寸法より大きくなっており、第１斜辺部５２ａより第２斜辺部５２ｂの前後方向の寸法が大きくなっている。
【００４５】
また、凸部５２は、被保持部４５に支持部４７を取り付けた状態で、一部が開口部５５から左右方向の外方に突出する。このとき、凸部５２は第１斜辺部５２ａが開口部５５の前端縁に当接されて、第２斜辺部５２ｂが開口部５５の後端縁に当接される。これによって、支持部４７は、保持部材３０から前後方向への抜け止めがなされて、前記位置決めした状態で保持部材３０に保持される。言い換えると、第１棚板４０ａは、爪部５０を被係止部５４である開口部５５に脱着自在で引っ掛けることで、保持部材３０に被保持部４５を保持させた状態で枠体２１に取り付けられる。そして、爪部５０を被係止部４５に引っ掛けた際には、この爪部５０を被係止部４５に引っ掛けた状態で、突出片４８が支持部４７の挿通（挿入）を規制する。
【００４６】
更に、第１棚板４０ａは、爪部５０（凸部５２）を左右方向の内方に押し込み、支持部４７を保持部材３０から前方に引き出すことで、枠体２１から取り外すことができる。言い換えると、爪部５０と被係止部５４（開口部５５）と保持部材３０とが、棚板４０を枠体２１に脱着自在で取り付ける取付部５６になっている。
【００４７】
このように、第１棚板４０ａは、前傾状態で、枠体２１（第１保持部材３０ａ）に脱着自在で取り付けられる。そして、第２棚板４０ｂは、第１棚板４０ａを平面視１８０°回転させた姿勢となるため、前上がり（後下がり）の後傾状態で、枠体２１（第２保持部材３０ｂ）に脱着自在に取り付けられる。そのため、棚板４０は、前傾状態と後傾状態とで上下方向において交互に配置される。更に、最下段の棚板４０は、保持部材３０を前後方向に対して傾斜して設けたり、被保持部４５を本体部４１に沿って設けたりすることで、本体部４１の板面を傾斜させずに略水平の状態で枠体２１に取り付けられる。
【００４８】
また、第２棚板４０ｂは、例えば図１に示す状態から、回転収納体２０を平面視１８０°反転させた姿勢に切り替えることで、第１棚板４０ａに切り替わるため、この反転させた姿勢で枠体２１に対する脱着が行われる。なお、棚板４０の前傾状態や後傾状態における前後方向に沿った水平面に対する傾斜角度は、１０〜２０度程度が好ましい。
【００４９】
そして、回転収納体２０は、棚板４０の上面とこの棚板４０の上方に位置する他の棚板４０の下面との間が夫々、収納物を収納するための収納空間となり、最上段の棚板４０では上枠２２との間が収納空間となる。更に、回転収納体２０は、前傾状態の棚板４０（第１棚板４０ａ）に対して収納物を出し入れ自在になっており、後傾状態の棚板４０（第２棚板４０ｂ）からは、回転収納体２０を１８０°反転させて、前傾状態に切り替えることで、出し入れ自在となる。
【００５０】
そして、回転収納装置１は、平面視において、左右方向の連結アーム１４を接続した側とは反対側に操作部２６を設けたことで、使用者が操作部２６を前方に引き出し操作することで、回転収納体２０の反転操作を開始することができる。そのため、回転収納装置１は、回転収納体２０の回転方向を使用者に認識し易くすることができる等で、回転収納体２０の反転操作（反転作業）を行い易くすることができる。
【００５１】
また、回転収納装置１は、取付部５６が爪部５０と被係止部５４とを有したことで、爪部５０の被係止部５４への係脱（引っ掛けとその解除）によって、簡単に（容易に）棚板４０を枠体２１から取外し可能な状態にしたり、取り付けたりすることができる。言い換えると、回転収納装置１は、爪部５０と被係止部５４を有した取付部５６を備えたことで、棚板４０の枠体２１への脱着作業を単純化することができる。
【００５２】
そして、回転収納装置１は、棚板４０の枠体２１への脱着時に、棚板４０を枠体２１に対して前後方向にスライド移動させる。そのため、回転収納装置１は、棚板４０の脱着時に棚板４０を上下移動させなくてもすみ、例えば上下多段に棚板４０を配置した場合であっても、脱着時に、棚板４０を他の棚板４０に干渉し難くすることができる。
【００５３】
これらによって、回転収納装置１は、ピンを用いたり上下に移動させたりする等の従来の構成に比べて、脱着作業を行い易くすることができる。
【００５４】
更に、回転収納体１は、支持部４７に、爪部５０が設けてあり、保持部材３０の支持部４７を挿通した状態における爪部５０に対応した部位に、被係止部５４が設けてある。そのため、回転収納装置１は、支持部４７を保持部材３０に挿通させることで、爪部５０を被係止部５４に引っ掛ける位置に配置し易くすることができる。言い換えると、回転収納装置１は、被保持部４５を保持部材３０に押し込む（支持部４７を挿通させる）際に、被保持部４５（支持部４７）の押し込み（スライド移動）用のスライドガイドとして保持部材３０を機能させることができる。これによって、回転収納装置１は、爪部５０を開口部５５に引っ掛ける際に、開口部５５に対する爪部５０の位置を規定し易くなり、棚板４０の取付を行い易くすることができる。
【００５５】
そして、回転収納装置１は、第１保持部材３０ａと第２保持部材３０ｂとで開口部５５の位置を前後逆さまに設けてある。そのため、回転収納装置１は、棚板４０の取付時に開口部５５の位置を視認することで、例えば第１保持部材３０ａと第２保持部材３０ｂとの区別を使用者に行い易くさせることができる。これによって、回転収納装置１は、棚板４０の装着作業を行い易くすることができる。更に、回転収納装置１は、棚板４０の抜き出し時に、手前側（抜き出す側）に開口部５５が位置するため、爪部５０の左右方向の内方への押し込み操作を行い易くすることができる。これによって、回転収納装置１は、棚板４０の離脱作業を行い易くすることができる。
【００５６】
また、棚板４０は、上方に突出した落下防止片４３が、本体部４１の上面の最下端側に設けてある。そして、落下防止片４３は、本体部４１に一体で形成してある。
【００５７】
具体的には、第１棚板４０ａの場合、落下防止片４３が、本体部４１の上面の前端（最下端）及び左右の両側端の前方側に設けてあり、前端辺及び側端辺に沿って形成してある。そのため、第１棚板４０ａの落下防止片４３は、平面視後方に開口した矩形Ｕ字状になっている。
【００５８】
そして、第２棚板４０ｂの場合では、本体部４１の上面の後端（最下端）及び左右の両側端の後方側に設けてあり、後端辺及び側端辺に沿って形成してある。そのため、第２棚板４０ｂの落下防止片４３は、平面視前方に開口した矩形Ｕ字状となっている。
【００５９】
このように、回転収納装置１は、落下防止片４３を棚板４０に設けたことで、傾斜させた棚板４０の下端側からの収納物の落下を抑制し易くすることができる。そして、回転収納装置１は、落下防止片４３を本体部４１に一体で設けたことで、棚板４０のスライド移動時等に、使用者が落下防止片４３周辺を把持した場合であっても、棚板４０の脱着作業を安定して行い易くすることができる。
【００６０】
なお、本発明は、前述の実施形態の構成のみに限定されるものではなく、本発明の意図する範囲内であれば、適宜の設計変更を行うことが可能である。例えば、回転収納装置１は、前傾状態のみや後傾状態のみ、或いは略水平状態のみで棚板４０を上下多段に配置したもの等であってもよく、最下段の棚板４０を前傾状態や後傾状態に配置したものであってもよい。また例えば、箱体２は、少なくとも前方に開口したものであればよく、前方と後方とに開口したものであってもよい。また、回転収納装置１に収納可能な収納物は、靴に限らず、例えば、書籍や、衣服や、帽子や装飾品等、或いは食品等であってもよい。
【００６１】
また例えば、回転収納装置１は、支持部４７の上面側に突出して爪部５０を設けて、上板部３２に被係止部５４を設けたものや、支持部４７の下面側に突出して爪部５０を設けて、下板部３３に被係止部５４を設けたもの等であってもよい。また例えば、回転収納装置１は、支持部４７の保持部材３０への挿通方向における後方側の部位のうち、上面又は下面に突出片４８を設けたものや、外側面、上面、下面のうちの二面或いは三面に夫々突出片４８を設けたもの等であってもよい。また例えば、支持部４７は、枠状に限らず、前後方向の中央部に、左右方向の内方に凹んだ凹部を備え、この凹部に爪部５０を配置したものであってもよい。なお、支持部４７は、爪部５０が上面側に突出する前記場合、前記凹部が下方に凹んだ形状となり、爪部５０が前記下面側に突出する前記場合、前記凹部が上方に凹んだ形状となる。
【００６２】
また例えば、回転収納装置１は、基部５１を弾性変形させるための操作片を爪部５０に設けて、操作片を介して凸部５２を左右方向の内方に押し込み操作可能としたもの等であってもよい。この場合、回転収納装置１は、凸部５２を直接押し込み操作せずに、爪部５０を被係止部５４（開口部５５）から抜き出すことができる。そのため、被係止部５４は、左右方向の内方から外方に凹んだ凹部を、開口部５５の代わりに設けてもよい。また例えば、前記操作片が突出片４８の機能を兼ねたものであってもよい。
【００６３】
また例えば、棚板４０は、図７に示すように、本体部４１の左右両端に夫々サイドキャップ６０を本体部４１と別部材で設けて、サイドキャップ６０に被保持部４５を形成した構成であってもよい。
【００６４】
この場合、回転収納装置１は、本体部４１、天面部３及び底面部４、レール１１及び連結アーム１４等を変更することで、容易に棚板４０の左右方向の寸法を所望の寸法に変更することができる。またこの場合、回転収納装置１は、例えば、左右方向の寸法の異なる複数種を製造した場合に、被保持部４５や保持部材３０等を共用部品にすることができて、コスト削減を行い易くすることができる。そして、サイドキャップ６０は、従来のピン等に比べて、大きい部材となるため、本体部４１から取り外した場合に、ピン等に比べて使用者が見付け易く、紛失し難くすることができる。
【００６５】
なお、サイドキャップ６０は、本体部４１に対して傾斜した被保持部４５を備えたものや、本体部４１に対して傾斜してサイドキャップ６０自体を取り付けるもの等、棚板４０を前傾状態や後傾状態で取付可能としたものであってもよい。また、本変形例では、落下防止片４３を設けていないが、落下防止片４３を前端と後端との両方或いは一方に設けてもよい。
【符号の説明】
【００６６】
１  回転収納装置
２  箱体
１０  回転機構部
２０  回転収納体
２１  枠体
２４  縦枠
３０  保持部材
４０  棚板
４１  本体部
４５  被保持部
５０  爪部
５４  被係止部
５６  取付部
６０  サイドキャップ
【図１】
2014030609.tif 000003
【図２】
2014030609.tif 000004
【図３】
2014030609.tif 000005
【図４】
2014030609.tif 000006
【図５】
2014030609.tif 000007
【図６】
2014030609.tif 000008
【図７】
2014030609.tif 000009